(57)【要約】【課題】画像を効率よく検査ができる画像検査装置、画像検査方法、および、画像検査装置用プログラムを提供する。【解決手段】  圧縮した画像データを検査する画像検査装置１０において、スキャナ２０等により、画像データを取得し（Ｓ１）、画像データを可逆圧縮した可逆圧縮画像を生成し（Ｓ２）、生成された可逆圧縮画像から、非可逆圧縮により、非可逆圧縮画像を生成し（Ｓ５）、非可逆圧縮画像（３０）を表示部１３に表示して検査する（Ｓ７）。【選択図】図３
2014072582.tif 000002
【特許請求の範囲】
【請求項１】
圧縮した画像データを検査する画像検査装置において、
前記画像データを取得する画像データ取得手段と、
前記画像データを可逆圧縮した可逆圧縮画像を生成する可逆圧縮画像生成手段と、
前記可逆圧縮画像から、非可逆圧縮により非可逆圧縮画像を生成する非可逆圧縮画像生成手段と、
前記非可逆圧縮画像を検査するための検査手段と、
を備えることを特徴とする画像検査装置。
【請求項２】
請求項１に記載の画像検査装置において、
前記非可逆圧縮画像生成手段が、
前記可逆圧縮画像を前記画像データに復元し、当該復元された前記画像データを非可逆圧縮して前記非可逆圧縮画像を生成することを特徴とする画像検査装置。
【請求項３】
請求項２に記載の画像検査装置において、
前記非可逆圧縮画像生成手段が、
前記復元された前記画像データにローパスフィルタを掛け、当該ローパスフィルタを掛けられた前記画像データを非可逆圧縮して前記非可逆圧縮画像を生成することを特徴とする画像検査装置。
【請求項４】
請求項１から３のいずれか１項に記載の画像検査装置において、
前記非可逆圧縮画像を検査用のフォーマットに変換するフォーマット変換手段を更に備えたことを特徴とする画像検査装置。
【請求項５】
請求項１から４のいずれか１項に記載の画像検査装置において、
前記検査手段が、ユーザが検査するように、前記非可逆圧縮画像を表示手段に表示することを特徴とする画像検査装置。
【請求項６】
圧縮した画像データを検査する画像検査装置の画像検査方法において、
画像データを取得する画像データ取得ステップと、
前記画像データを可逆圧縮した可逆圧縮画像を生成する可逆圧縮画像生成ステップと、
前記可逆圧縮画像から、非可逆圧縮により非可逆圧縮画像を生成する非可逆圧縮画像生成ステップと、
前記非可逆圧縮画像を検査するための検査ステップと、
を含むことを特徴とする画像検査方法。
【請求項７】
コンピュータを、
画像データを取得する画像データ取得手段、
前記画像データを可逆圧縮した可逆圧縮画像を生成する可逆圧縮画像生成手段、
前記可逆圧縮画像から、非可逆圧縮により非可逆圧縮画像を生成する非可逆圧縮画像生成手段、および、
前記非可逆圧縮画像を検査するための検査手段として機能させることを特徴とする画像検査装置用プログラム。
【発明の詳細な説明】
【技術分野】
【０００１】
本発明は、画像を検査するための画像検査装置、画像検査方法、および、画像検査装置用プログラムに関する。
【背景技術】
【０００２】
既存の紙の書籍を電子化することにより、電子書籍、電子図書館等に利用されている。例えば、特許文献１には、電子データ化された書籍データを格納し、ユーザに書籍データを提供する電子図書館と、電子データ化されていない書籍を所定のデータ形式で電子データ化し、電子データ化した書籍データを電子図書館に供給する書籍データ供給サーバとを有する書籍データ提供システムが開示されている。
【先行技術文献】
【特許文献】
【０００３】
【特許文献１】特開２００４−３０３１６５号公報
【発明の概要】
【発明が解決しようとする課題】
【０００４】
ところで、書籍の各ページをスキャナやデジタルカメラで取り込む必要があり、取り込んだ画像データを納品する前に検査が必要である。しかしながら、大量の画像データを効率よく、検査することができなかった。
【０００５】
そこで、本発明は上記の問題点等に鑑みて為されたもので、その課題の一例は、画像を効率よく検査ができる画像検査装置等を提供することを目的とする。
【課題を解決するための手段】
【０００６】
上記の課題を解決するために、請求項１に記載の発明は、圧縮した画像データを検査する画像検査装置において、前記画像データを取得する画像データ取得手段と、前記画像データを可逆圧縮した可逆圧縮画像を生成する可逆圧縮画像生成手段と、前記可逆圧縮画像から、非可逆圧縮により非可逆圧縮画像を生成する非可逆圧縮画像生成手段と、前記非可逆圧縮画像を検査するための検査手段と、を備えることを特徴とする。
【０００７】
また、請求項２に記載の発明は、請求項１に記載の画像検査装置において、前記非可逆圧縮画像生成手段が、前記可逆圧縮画像を前記画像データに復元し、当該復元された前記画像データを非可逆圧縮して前記非可逆圧縮画像を生成することを特徴とする。
【０００８】
また、請求項３に記載の発明は、請求項２に記載の画像検査装置において、前記非可逆圧縮画像生成手段が、前記復元された前記画像データにローパスフィルタを掛け、当該ローパスフィルタを掛けられた前記画像データを非可逆圧縮して前記非可逆圧縮画像を生成することを特徴とする。
【０００９】
また、請求項４に記載の発明は、請求項１から３のいずれか１項に記載の画像検査装置において、前記非可逆圧縮画像を検査用のフォーマットに変換するフォーマット変換手段を更に備えたことを特徴とする。
【００１０】
また、請求項５に記載の発明は、請求項１から４のいずれか１項に記載の画像検査装置において、前記検査手段が、ユーザが検査するように、前記非可逆圧縮画像を表示手段に表示することを特徴とする。
【００１１】
また、請求項６に記載の発明は、圧縮した画像データを検査する画像検査装置の画像検査方法において、画像データを取得する画像データ取得ステップと、前記画像データを可逆圧縮した可逆圧縮画像を生成する可逆圧縮画像生成ステップと、前記可逆圧縮画像から、非可逆圧縮により非可逆圧縮画像を生成する非可逆圧縮画像生成ステップと、前記非可逆圧縮画像を検査するための検査ステップと、を含むことを特徴とする。
【００１２】
また、請求項７に記載の発明は、コンピュータを、画像データを取得する画像データ取得手段、前記画像データを可逆圧縮した可逆圧縮画像を生成する可逆圧縮画像生成手段、前記可逆圧縮画像から、非可逆圧縮により非可逆圧縮画像を生成する非可逆圧縮画像生成手段、および、前記非可逆圧縮画像を検査するための検査手段として機能させることを特徴とする。
【発明の効果】
【００１３】
本発明によれば、異なる圧縮方法による画像データを納品する際、取得した画像データを、可逆圧縮して可逆圧縮画像を生成し、可逆圧縮画像の画像データから非可逆圧縮画像を生成し、この生成された非可逆圧縮画像を表示して検査することにより、圧縮による画像の欠陥を発見でき、検査負荷を軽減できる。
【図面の簡単な説明】
【００１４】
【図１】本発明の実施形態に係る画像検査システムの概要構成の一例を示す模式図である。
【図２】図１の画像検査装置の概要構成の一例を示すブロック図である。である。
【図３】図１の画像検査装置の動作例を示すフローチャートである。
【図４】圧縮された画像の一例を示す模式図である。
【発明を実施するための形態】
【００１５】
以下、図面を参照して本発明の実施形態について説明する。なお、以下に説明する実施の形態は、画像検査システムに対して本発明を適用した場合の実施形態である。
【００１６】
［１．画像検査システムおよび画像検査装置１０の構成および機能概要］
（１．１  画像検査システム１の構成および機能）
まず、本発明の１実施形態に係る画像検査システムの構成および概要機能について、図１を用いて説明する。
【００１７】
図１は、本実施形態に係る画像検査システム１の概要構成例を示す模式図である。
【００１８】
図１に示すように、画像検査システム１は、圧縮した画像データを検査する画像検査装置１０と、書籍等の印刷物の画像データを取り込むスキャナ２０と、を備えている。
【００１９】
画像検査装置１０と、スキャナ２０とは、画像検査装置１０のインターフェースを介して接続されている。
【００２０】
コンピュータとして機能する画像検査装置１０は、スキャナ２０から取り込まれた画像データを圧縮したり、検査のために表示したりする。
【００２１】
イメージスキャナのスキャナ２０は、例えば、印刷物を撮像する撮像素子と、印刷物を照らす光源と、撮像素子を走査する駆動部と、を有する。なお、スキャナ２０は、デジタルカメラでもよく、動画を取り込むデジタルカメラでもよい。
【００２２】
（１．２  画像検査装置１０の構成および機能）
次に、画像検査装置１０の構成および機能について、図２を用いて説明する。
図２は、画像検査装置１０の概要構成の一例を示すブロック図である。
【００２３】
図２に示すように、画像検査装置１０は、例えば、パーソナルコンピュータ等であり、通信部１１と、記憶部１２と、表示部１３と、操作部１４と、入出力インターフェース部１５と、システム制御部１６とを備えている。そして、システム制御部１６と入出力インターフェース部１５とは、システムバス１７を介して接続されている。
【００２４】
通信部１１は、ネットワークを介して他のサーバとのデータの送受信を行う。
【００２５】
記憶部１２は、例えば、ハードディスクドライブ等からなり、画像データ、オペレーティングシステム等を記憶する。さらに、データを復元したときに、完全に元にもどる圧縮方法の可逆圧縮のプログラム、圧縮率は高いが、データを復元（展開）したときに、完全には元にもどらない圧縮方法の非可逆圧縮のプログラム等の画像圧縮用のプログラムを記憶する。なお、画像検査装置１０から取り外し可能なＵＳＢメモリ等の外部記憶部が、画像データを記憶しておいてもよい。
【００２６】
ここで、可逆圧縮とは、圧縮前のデータと、圧縮または展開後のデータとが完全に等しくなるデータ圧縮方法である。例えば、離散ウェーブレット変換を用いたＪＰＥＧ（Joint Photographic Experts Group）２０００、ＰＮＧ（Portable Network Graphics）、ＧＩＦ（Graphics Interchange Format）等が挙げられる。また、非可逆圧縮は、圧縮前のデータと、圧縮または展開後のデータとが完全には一致しないデータ圧縮方法のことである。例えば、離散コサイン変換を用いたＪＰＥＧや、非可逆圧縮モードのＪＰＥＧ２０００等が挙げられる。
【００２７】
表示部１３は、例えば、液晶表示素子または有機ＥＬ素子等によって構成されている。表示部１３には、検査のために、可逆圧縮および非可逆圧縮を経た画像データの画像等が表示される。
【００２８】
操作部１４は、例えば、キーボードおよびマウス等によって構成されている。
【００２９】
入出力インターフェース部１５は、通信部１１および記憶部１２とシステム制御部１６とのインターフェースである。
【００３０】
システム制御部１６は、例えば、ＣＰＵ１６ａと、ＲＯＭ１６ｂと、ＲＡＭ１６ｃとを有する。システム制御部１６は、ＣＰＵ１６ａが、ＲＯＭ１６ｂや、ＲＡＭ１６ｃや、記憶部１２に記憶された各種プログラムを読み出して実行する。例えば、システム制御部１６は、画像圧縮のプログラムを実行する。なお、これらのプログラムを記憶した記録媒体等をシステム制御部１６が読み出し実行してもよい。
【００３１】
［２．画像検査システムの動作］
次に、本発明の１実施形態に係る画像検査システムの動作について図３から図４を用いて説明する。
【００３２】
図３は、画像検査装置の動作例を示すフローチャートである。図４は、圧縮された画像の一例を示す模式図である。
【００３３】
なお、書籍などの電子化を依頼され、異なる圧縮方法、例えば、劣化がない圧縮画像の納品と、圧縮率が高い圧縮画像の納品とが必要な場合である。なお、２つの圧縮方法に限らず、３つ以上の圧縮の形態で納品を依頼されている場合でもよい。
【００３４】
図３に示すように、画像検査装置１０は、画像データを取得する（ステップＳ１）。具体的には、画像検査装置１０のシステム制御部１６が、スキャナ２０が取り込んだ、ＴＩＦＦ（Tagged Image File Format）形式、ビットマップ形式、ＧＩＦ（Graphic Interchange Format）等の画像フォーマットの画像データを取得する。
【００３５】
このように、画像検査装置１０は、画像データを取得する画像データ取得手段の一例として機能する。
【００３６】
次に、画像検査装置１０は、画像データを可逆圧縮する（ステップＳ２）。具体的には、システム制御部１６が、可逆圧縮のプログラムを使用して、取得した画像データを圧縮する。例えば、離散ウェーブレット変換を用いたＪＰＥＧ２０００等の可逆変換の手法により、取得した画像データを、画像の劣化がない圧縮された画像データに変換する。この可逆圧縮された画像データは、配布用に画質の劣化がない圧縮された画像データとして使用する。
【００３７】
このように、画像検査装置１０は、画像データを可逆圧縮した可逆圧縮画像を生成する可逆圧縮画像生成手段の一例として機能する。
【００３８】
次に、画像検査装置１０は、可逆圧縮された画像を復元する（ステップＳ３）。具体的には、システム制御部１６が、ステップＳ２の可逆圧縮の逆変換のプログラムにより、可逆圧縮された画像を復元する。
【００３９】
次に、画像検査装置１０は、復元された画像に対してぼかし処理をする（ステップＳ４）。例えば、ガウシアンフィルタのような平滑化のフィルタ（ローパスフィルタ）により、復元された画像に対してぼかし処理をする。平滑化のフィルタにより、非可逆圧縮の変換後にブロックノイズ等のノイズが生じないようする。なお、次の非圧縮の処理において、圧縮率が低く、ブロックノイズが生じにくい場合や、ブロックノイズが生じてもよい場合、この処理を省略してもよい。
【００４０】
次に、画像検査装置１０は、非可逆圧縮する（ステップＳ５）。具体的には、システム制御部１６が、可逆圧縮画像を復元して、ぼかし処理された画像に対して、非可逆圧縮方法により、圧縮率を高くした画像（非可逆圧縮画像）を生成する。例えば、ＪＰＥＧ２０００、ＪＰＥＧ等の非可逆変換の手法により、画像データを、高圧縮された画像データに変換する。この非可逆圧縮された画像データは、配布用に画質の劣化があるが、高圧縮した画像データとして使用する。
【００４１】
このように、画像検査装置１０は、可逆圧縮画像から、非可逆圧縮により非可逆圧縮画像を生成する非可逆圧縮画像生成手段の一例として機能する。また、画像検査装置１０は、可逆圧縮画像を画像データに復元し、当該復元された画像データを非可逆圧縮して非可逆圧縮画像を生成する非可逆圧縮画像生成手段の一例として機能する。また、画像検査装置１０は、復元された画像データにローパスフィルタを掛け、当該ローパスフィルタを掛けられた画像データを非可逆圧縮して非可逆圧縮画像を生成する非可逆圧縮画像生成手段の一例として機能する。
【００４２】
次に、画像検査装置１０は、高圧縮された画像データを検査用フォーマットに変換する（ステップＳ６）。高圧縮された画像を表示できるソフトウェアを有しない他のコンピュータでも、表示して画像を検査するために、システム制御部１６が、高圧縮された画像データを普及したフォーマット（例えば、ＪＰＥＧ、ＧＩＦ、ＴＩＦＦ、ビットマップ等）に変換する。なお、ステップＳ５において、高圧縮された画像を表示できるソフトウェアを有する場合は、この処理を省略してもよい。
【００４３】
このように、画像検査装置１０は、非可逆圧縮画像を検査用のフォーマットに変換するフォーマット変換手段の一例として機能する。
【００４４】
次に、画像検査装置１０は、検査のための画像を表示する（ステップＳ７）。システム制御部１６が、図４に示すように、フォーマット変換された画像データの画像３０を表示部１３に表示する。なお、画像検査装置１０は、高圧縮された画像データを表示してもよい。また、ネットワークにより接続された他のコンピュータが、フォーマット変換された画像データを受信して、表示部に表示してもよい。
【００４５】
ユーザは、表示部１３に表示された画像を見て、スキャナ２０により取り込んだ画像に欠落、画像の傾き等の欠陥が有るか否かを検査する。
【００４６】
検査の結果、欠陥がなければ、可逆圧縮された劣化の無い画像データと、非可逆圧縮により高圧縮された画像データとを納品する。
【００４７】
図４に示すように、画像３０に欠落３１が生じた場合、画像検査装置１０は、ステップＳ２の可逆圧縮のパラメータを変えたり、ステップＳ５の非可逆圧縮のパラメータを変えたりして、圧縮を再度行う。または、画像検査装置１０は、欠陥がある画像に関して、スキャナ２０で画像の取り込みを行う。なお、画像圧縮プログラムにバグがある場合もあり、画像データの場合、画像に欠落が生じることがあることを見出した。
【００４８】
このように、画像検査装置１０は、非可逆圧縮画像を検査するための検査手段の一例として機能する。画像検査装置１０は、ユーザが検査するように、非可逆圧縮画像を表示手段に表示する検査手段の一例として機能する。
【００４９】
以上、本実施形態によれば、可逆圧縮および非可逆圧縮のように、異なる圧縮方法による画像データを納品する際、取得した画像データを、可逆圧縮して可逆圧縮画像を生成し、可逆圧縮画像の画像データから非可逆圧縮画像を生成し、この生成された非可逆圧縮画像を表示して検査することにより、圧縮による画像の欠陥を発見でき、検査負荷を軽減できる。
【００５０】
ここで、書籍の電子化業務等において、複数の種類のデータを納品する場合で、可逆圧縮画像の画像データと非可逆圧縮画像の画像データとの両方のデータを納品することが必要な場合、スキャンしたデータから個別に作成するが考えられる。これら納品物の品質を確認する際、ページの傾きや抜けといったページをスキャナで取り込んだ際に発生した問題は、共通の問題であり、可逆圧縮画像または非可逆圧縮画像の片方を確認することで発見できる。
【００５１】
一方、図４に示すように、圧縮プログラムのバグ等により、データ圧縮の失敗による画像の欠落３１のようなスキャン後の処理の失敗により発生した問題については、両方のデータを確認する必要が考えられる。しかし、納品物の品質を保証するためには、可逆圧縮画像および非可逆圧縮画像の両方を検査すると作業負荷が増加する。
【００５２】
本実施形態のように、スキャンしたデータから個別に可逆圧縮および非可逆圧縮の画像データを作成せず、可逆圧縮画像の画像データを元にして、非可逆圧縮画像の画像データを作成したので、スキャン後の圧縮処理により可逆圧縮画像の画像データに発生した問題は、非可逆圧縮画像の画像データにも現れるようになる。これにより、非可逆圧縮画像の画像データを検査して問題がない場合には、可逆圧縮画像の画像データの品質にも問題はないことを保証できるため、画像データを検査する負荷を軽減できる。すなわち、可逆圧縮画像および非可逆圧縮画像の画像データ両方を検査した場合に比べ、検査回数を削減でき検査負荷を軽減できる。
【００５３】
また、可逆圧縮画像を、可逆圧縮前の画像データに復元し、当該復元された画像データを非可逆圧縮して非可逆圧縮画像を生成する場合、圧縮前の画像データに復元しているので、非可逆圧縮を適用しやすくなる。
【００５４】
可逆圧縮画像を、可逆圧縮前の画像データに復元し、当該復元された画像データにローパスフィルタを掛け、当該ローパスフィルタを掛けられた画像データを非可逆圧縮して非可逆圧縮画像を生成する場合、非可逆圧縮により生じるブロックノイズ等のノイズを軽減できる。
【００５５】
非可逆圧縮画像を検査用のフォーマットに変換する場合、汎用性がある検査用のフォーマットの圧縮画像になるので、様々なコンピュータの環境で、検査を行うことができる。
【００５６】
ユーザが検査するように、非可逆圧縮画像を、表示部１３等の表示手段に表示する場合、人が検査できる。
【００５７】
なお、画像の検査は、人間による目視の他に、検査手段として、画像検査装置１０が画像認識により検査を行ってもよい。
【００５８】
また、ステップＳ１において、ネットワークで接続された他のコンピュータから、圧縮する画像データを取得してもよい。また、ステップＳ７において、ネットワークで接続された端末装置の表示部に検査のための画像を表示して検査を行ってもよい。
【符号の説明】
【００５９】
１：画像検査システム
１０：画像検査装置
１３：表示部
２０：スキャナ
３０：画像
【図２】
2014072582.tif 000003
【図３】
2014072582.tif 000004
【図１】
2014072582.tif 000005
【図４】
2014072582.tif 000006